(57)【要約】【課題】ファクシミリ受信用に設定された番号および該番号とは異なる番号を利用することが可能な通信装置において、送信元端末からのファクシミリの送信先が誤りであるか否かを判断すると共に該送信先が誤りである場合にはその旨を通知することが可能な通信装置を提供する。【解決手段】送信元端末１０から送信されたデータの送信先番号を取得する送信先番号取得部３２と、上記送信先番号が通信装置１のファクシミリ受信用番号と一致するか否かを判断する送信先番号判断部３３と、上記データがファクシミリデータであるか否かを判断するＴＥＬ／ＦＡＸ判断部３４と、送信元端末１０から送信されたファクシミリデータの送信先が誤りである旨のメッセージを記憶する通知文書記憶部５２と、上記送信先番号が通信装置１のファクシミリ受信用番号と一致せず、かつ上記データがファクシミリデータである場合には上記メッセージを通知する通知部３７とを備える。【選択図】図１
2008141695.tif 000002
【特許請求の範囲】
【請求項１】
ネットワークを介して音声およびファクシミリデータの通信を行う通信手段を備え、ファクシミリ受信用に設定された番号および該番号とは異なる番号を利用することが可能な通信装置において、
送信元端末から送信されたデータの送信先番号を取得する送信先番号取得手段と、
上記データの送信先番号が、自装置のファクシミリ受信用に設定された番号と一致するか否かを判断する送信先番号判断手段と、
上記データがファクシミリデータであるか否かを判断するデータ判断手段と、
上記送信元端末から送信されたファクシミリデータの送信先が誤りである旨のメッセージを記憶する通知文書記憶部と、
上記データの送信先番号が自装置のファクシミリ受信用に設定された番号と一致せず、かつ、上記データがファクシミリデータである場合には、上記通知文書記憶部に記憶されているメッセージを通知する通知手段とを備えることを特徴とする通信装置。
【請求項２】
上記送信元端末を識別するための送信元識別情報を上記データから取得する送信元識別情報取得手段と、
上記送信元識別情報に対応する、上記送信元端末のメールアドレスを予め記憶しておく送信元情報記憶部と、
上記送信元識別情報に基づいて、上記送信元情報記憶部から上記メールアドレスを取得する送信元情報取得手段とをさらに備え、
上記通知手段は、上記送信元情報取得手段により取得された上記メールアドレスに、上記メッセージを送信することを特徴とする請求項１に記載の通信装置。
【請求項３】
上記通知手段は、上記送信元端末から受信したファクシミリデータの画像を添付ファイルとして、上記メッセージと共に送信することを特徴とする請求項２に記載の通信装置。
【請求項４】
上記送信元端末を識別するための送信元識別情報を上記データから取得する送信元識別情報取得手段をさらに備え
上記通知手段は、上記データの送信先番号が自装置のファクシミリ受信用に設定された番号と一致せず、かつ、上記データがファクシミリデータである場合には、上記送信元識別情報取得手段により取得された上記送信元識別情報を示す、上記送信元端末のファクシミリ番号に、上記メッセージを送信することを特徴とする請求項１に記載の通信装置。
【請求項５】
上記送信元端末を識別するための送信元識別情報を上記データから取得する送信元識別情報取得手段と、
上記送信元識別情報に対応する、上記送信元端末のファクシミリ番号を予め記憶しておく送信元情報記憶部と、
上記送信元識別情報に基づいて、上記送信元情報記憶部から上記ファクシミリ番号を取得する送信元情報取得手段とをさらに備え、
上記通知手段は、上記送信元情報取得手段により取得された上記ファクシミリ番号に、上記メッセージを送信することを特徴とする請求項１に記載の通信装置。
【請求項６】
上記通知手段は、上記送信元端末から受信したファクシミリデータの画像を上記メッセージと共に送信することを特徴とする請求項５に記載の通信装置。
【請求項７】
上記送信元端末を識別するための送信元識別情報を上記データから取得する送信元識別情報取得手段を備え、
上記通知手段は、上記メッセージと共に、上記送信元識別情報を自装置のユーザに通知することを特徴とする請求項１に記載の通信装置。
【請求項８】
上記送信元端末を識別するための送信元識別情報を上記データから取得する送信元識別情報取得手段と、
上記送信元識別情報に対応する、上記送信元端末のメールアドレスを予め記憶しておく送信元情報記憶部と、
上記送信元識別情報に基づいて、上記送信元情報記憶部から上記メールアドレスを取得する送信元情報取得手段とをさらに備え、
上記通知手段は、上記メッセージと共に、上記送信元情報取得手段により取得された上記送信元端末のメールアドレスを自装置のユーザに通知することを特徴とする請求項１に記載の通信装置。
【請求項９】
上記送信元端末を識別するための送信元識別情報を上記データから取得する送信元識別情報取得手段と、
上記送信元識別情報に対応する、上記送信元端末のファクシミリ番号を予め記憶しておく送信元情報記憶部と、
上記送信元識別情報に基づいて、上記送信元情報記憶部から上記ファクシミリ番号を取得する送信元情報取得手段とをさらに備え、
上記通知手段は、上記メッセージと共に、上記送信元情報取得手段により取得された上記送信元端末のファクシミリ番号を自装置のユーザに通知することを特徴とする請求項１に記載の通信装置。
【請求項１０】
上記送信元端末から、上記ファクシミリ受信用に設定された番号とは異なる番号でファクシミリデータを受信した場合に、自装置を該ファクシミリデータの受信が可能なモードに切り替えるモード切替手段を備えていることを特徴とする請求項１に記載の通信装置。
【請求項１１】
上記送信元端末から送信されたファクシミリデータを受信した時刻が、予め設定された時間帯に含まれるか否かを判断する受信時刻判断手段をさらに備え、
上記通知手段は、上記ファクシミリデータを受信した時刻が予め設定された時間帯に含まれる場合には、上記メッセージを通知する一方、上記ファクシミリデータを受信した時刻が予め設定された時間帯に含まれない場合には、上記メッセージを通知しないことを特徴とする請求項１に記載の通信装置。
【請求項１２】
上記メッセージの送信先の端末名と、該メッセージの送信日時とを関連付けて履歴として記憶する送信履歴記憶部をさらに備え、
上記通知手段は、上記メッセージを送信元端末に送信してから予め設定された時間が経過するまでの間、該送信元端末に対して再度上記メッセージを送信しないことを特徴とする請求項１に記載の通信装置。
【請求項１３】
ファクシミリを受信した履歴を記憶する受信履歴記憶部を備え、
上記受信履歴記憶部は、ファクシミリ受信用に設定された番号とは異なる番号でファクシミリデータを受信した履歴を、該ファクシミリデータの送信元端末の情報と関連付けて記憶することを特徴とする請求項１に記載の通信装置。
【請求項１４】
上記送信元端末から送信されたファクシミリデータが、自装置のファクシミリ受信用に設定された番号とは異なる番号で受信された回数を計測する受信回数計測手段と、上記受信回数が予め設定された回数に達したか否かを判断する受信回数判断手段とをさらに備え、
上記通知手段は、上記受信回数が予め設定された回数に達した場合には、上記メッセージを通知する一方、上記受信回数が予め設定された回数に達していない場合には、上記メッセージを通知しないことを特徴とする請求項１に記載の通信装置。
【請求項１５】
上記送信元端末から送信されたファクシミリデータが、自装置のファクシミリ受信用に設定された番号とは異なる番号で受信された回数を計測する受信回数計測手段と、
上記受信回数に応じた上記通知手段が通知するメッセージを記憶する上記通知文書記憶部から、上記受信回数計測手段による計測結果に基づいてメッセージを選択する通知文書選択手段を備え、
上記通知手段は、上記通知文書選択手段により選択されたメッセージを通知することを特徴とする請求項１に記載の通信装置。
【請求項１６】
上記通知文書記憶部は、ファクシミリ受信用に設定された番号とは異なる複数の番号に応じた、上記通知手段が通知するメッセージを記憶し、
上記送信先番号取得手段により取得された番号に基づいて、上記通知文書記憶部からメッセージを選択する通知文書選択手段を備え、
上記通知手段は、上記通知文書選択手段により選択されたメッセージを通知することを特徴とする請求項１に記載の通信装置。
【請求項１７】
上記送信元識別情報取得手段は、自装置が有する送信元番号識別機能を用いて上記送信元識別情報を取得することを特徴とする請求項２〜９のいずれか１項に記載の通信装置。
【請求項１８】
上記データ判断手段により上記データがファクシミリデータであると判断された場合に、該ファクシミリデータに上記送信元端末を識別するための送信元識別情報が含まれているか否かを判断する送信元識別情報判断手段と、
上記ファクシミリデータに上記送信元識別情報が含まれている場合には、上記ファクシミリデータから上記送信元識別情報を取得する送信元識別情報取得手段と
上記送信元識別情報に対応する、上記送信元端末の送信元情報を予め記憶しておく送信元情報記憶部と、
上記送信元識別情報に基づいて、上記送信元情報記憶部から上記送信元情報を取得する送信元情報取得手段とをさらに備え、
上記通知手段は、上記送信元情報取得手段により取得された上記送信元情報に、上記メッセージを送信することを特徴とする請求項１に記載の通信装置。
【請求項１９】
上記データ判断手段により上記データがファクシミリデータであると判断された場合に、該ファクシミリデータの画像を解析する画像解析手段と、
上記画像解析手段により解析された画像に上記送信元端末を識別するための送信元識別情報が含まれているか否かを判断する送信元識別情報判断手段と、
上記画像に上記送信元識別情報が含まれている場合には、上記画像から上記送信元識別情報を取得する送信元識別情報取得手段と、
上記送信元識別情報に対応する、上記送信元端末の送信元情報を予め記憶しておく送信元情報記憶部と、
上記送信元識別情報に基づいて、上記送信元情報記憶部から上記送信元情報を取得する送信元情報取得手段とをさらに備え、
上記通知手段は、上記送信元情報取得手段により取得された上記送信元情報に、上記メッセージを送信することを特徴とする請求項１に記載の通信装置。
【請求項２０】
ネットワークを介して音声およびファクシミリデータ通信を行う通信ステップを含み、ファクシミリ受信用に設定された番号および該番号とは異なる番号を利用することが可能な通信装置の制御方法において、
送信元端末から送信されたデータの送信先番号を取得する送信先番号取得ステップと、
上記データの送信先番号が、自装置のファクシミリ受信用に設定された番号と一致するか否かを判断する送信先番号判断ステップと、
上記データがファクシミリデータであるか否かを判断するデータ判断ステップと、
上記送信元端末から送信されたファクシミリデータの送信先が誤りである旨のメッセージを記憶する通知文書記憶部と、
上記データの送信先番号が自装置のファクシミリ受信用に設定された番号と一致せず、かつ、上記データがファクシミリデータである場合には、上記通知文書記憶部に記憶されているメッセージを通知する通知ステップとを含むことを特徴とする通信装置の制御方法。
【請求項２１】
請求項１〜１９のいずれか１項に記載の通信装置を動作させる制御プログラムであって、コンピュータを上記の各手段として機能させるための通信装置制御プログラム。
【請求項２２】
請求項２１に記載の通信装置制御プログラムを記録したコンピュータ読み取り可能な記録媒体。
【発明の詳細な説明】
【技術分野】
【０００１】
本発明は、ファクシミリの送信先が誤っている場合にその旨を通知することができる通信装置および通信装置の制御方法、制御プログラムおよびそれを記録したコンピュータ読み取り可能な記録媒体に関するものである。
【背景技術】
【０００２】
近年、ネットワークを介してファクシミリの送受信が可能な、電話機能を有する通信装置が広く普及している。また、通信装置には、外付けの電話機を備えて、ネットワーク接続によりファクシミリ機能と電話機能とを兼用できるものがある。
【０００３】
このような通信装置では、相手先のファクシミリ端末から、送信先が間違えているファクシミリ、いわゆる間違いファクシミリが送信されることがしばしばある。具体的には、送信側の端末（送信元端末）から、受信側の端末（通信装置）にファクシミリを送信する際、通信装置のファクシミリ用番号ではなく電話番号にダイヤルしてしまうことがある。この場合、通信装置のユーザは、間違いファクシミリの着信音を繰り返し聞かされ大変な迷惑を被ることになる。一方、送信元端末のユーザは、ファクシミリを必要とする相手にいつまでたっても送信できないという問題が生じる。
【０００４】
そこで、上記問題を解決するための技術の一例として特許文献１が挙げられる。特許文献１には、電話機に間違いファクシミリ呼が着信した際に、送信先が間違っている旨を発信元に通知する間違いファクシミリ通知システムが開示されている。具体的には、ファクシミリ通知システムは、発信者番号取得手段と、発信者番号を格納するための第１のメモリと、ファクシミリ送信手段と、間違いファクシミリ通知文書を格納するための第２のメモリとから構成されている。ファクシミリ送信手段は、第１のメモリから発信者番号を読み出し、読み出された発信者番号に基づいて対応する相手端末との間に通話方路を形成し、第２のメモリから読み出された間違いファクシミリ通知文書を対応する相手端末に送信する。これにより、間違いファクシミリを送信した発信者に、現在送信しているファクシミリ文書の宛先番号が間違いであることを認識させることができる。したがって、相手端末からの間違いファクシミリを防ぐことができる。
【特許文献１】特開２０００−１９６８４８号公報（２０００年７月１４日公開）
【発明の開示】
【発明が解決しようとする課題】
【０００５】
ところで、近年、ファクシミリ受信用に設定された番号（ファクシミリ用番号）およびそれとは異なる番号（例えば電話番号）といった複数の番号を利用可能な、いわゆるダイヤルイン機能を備えた通信装置が普及している。そして、このような通信装置においても、上述の間違いファクシミリを防ぐことが望まれている。
【０００６】
ところが、上記従来の間違いファクシミリ通知システムは、送信元端末から送信されるデータがファクシミリデータ（ファクシミリ信号）であるか否かにより、送信されたファクシミリの送信先が間違いであるか否かを判断する構成である。つまり、受信側端末（通信装置）が受信したファクシミリは、全て間違いファクシミリであると判断する構成である。
【０００７】
そのため、上記間違いファクシミリ通知システムを、上記通信装置に適用した場合、以下のような問題が生じる。すなわち、例えば、送信元端末から受信側端末のファクシミリ用番号に送信されたデータがファクシミリデータである場合には、該ファクシミリデータは間違いファクシミリであると判断されることになり、正常なファクシミリさえも受信できなくなってしまう。これでは、ファクシミリ機能として不適格なものとなってしまう。
【０００８】
また、従来、ファクシミリ受信用に設定された番号および該番号とは異なる番号を利用することが可能な通信装置において、送信元端末からのファクシミリの送信先が誤りであるか否かを的確に判断することが可能なものは実現されていない。
【０００９】
本発明は、上記の問題点に鑑みてなされたものであり、その目的は、ファクシミリ受信用に設定された番号および該番号とは異なる番号を利用することが可能な通信装置において、送信元端末からのファクシミリの送信先が誤りであるか否かを判断すると共に、該送信先が誤りである場合には、その旨を通知することが可能な通信装置、通信装置の制御方法、通信装置制御プログラムおよびそれを記録したコンピュータ読み取り可能な記録媒体を提供することである。
【課題を解決するための手段】
【００１０】
本発明の通信装置は、上記課題を解決するために、ネットワークを介して音声およびファクシミリデータの通信を行う通信手段を備え、ファクシミリ受信用に設定された番号および該番号とは異なる番号を利用することが可能な通信装置において、送信元端末から送信されたデータの送信先番号を取得する送信先番号取得手段と、上記データの送信先番号が、自装置のファクシミリ受信用に設定された番号と一致するか否かを判断する送信先番号判断手段と、上記データがファクシミリデータであるか否かを判断するデータ判断手段と、上記送信元端末から送信されたファクシミリデータの送信先が誤りである旨のメッセージを記憶する通知文書記憶部と、上記データの送信先番号が自装置のファクシミリ受信用に設定された番号と一致せず、かつ、上記データがファクシミリデータである場合には、上記通知文書記憶部に記憶されているメッセージを通知する通知手段とを備えることを特徴としている。
【００１１】
本発明の通信装置の制御方法は、上記課題を解決するために、ネットワークを介して音声およびファクシミリデータ通信を行う通信ステップを含み、ファクシミリ受信用に設定された番号および該番号とは異なる番号を利用することが可能な通信装置の制御方法において、送信元端末から送信されたデータの送信先番号を取得する送信先番号取得ステップと、上記データの送信先番号が、自装置のファクシミリ受信用に設定された番号と一致するか否かを判断する送信先番号判断ステップと、上記データがファクシミリデータであるか否かを判断するデータ判断ステップと、上記送信元端末から送信されたファクシミリデータの送信先が誤りである旨のメッセージを記憶する通知文書記憶部と、上記データの送信先番号が自装置のファクシミリ受信用に設定された番号と一致せず、かつ、上記データがファクシミリデータである場合には、上記通知文書記憶部に記憶されているメッセージを通知する通知ステップとを含むことを特徴としている。
【００１２】
ここで、ファクシミリ受信用に設定された番号とは、具体的には、通信装置に設定されたファクシミリ用番号であり、ファクシミリ受信用に設定された番号とは異なる番号とは、通信装置に設定された電話番号をいう。なお、上記電話番号は、複数個設定されていてもよい。
【００１３】
上記の構成によれば、送信元端末から送信されたファクシミリの送信先番号が、自装置のファクシミリ受信用に設定された番号と一致しない場合に、上記通知文書記憶部に記憶されている、上記送信元端末から送信されたファクシミリの送信先が誤りである旨のメッセージが通知される。
【００１４】
これにより、送信元端末のユーザが、誤って通信装置の電話番号にファクシミリを送信した場合には、該通信装置では送信先が誤りであると判断され、その旨のメッセージが通知される。なお、上記メッセージは送信元端末に通知する構成であってもよく、また、通信装置のユーザ宛に通知する構成であってもよい。これにより、例えば上記メッセージを送信元端末に通知する構成である場合には、送信元端末のユーザに上記ファクシミリの送信先が誤りであることを認識させることでき、以降の間違いファクシミリの送信を防ぐことが可能となる。また、上記メッセージを通信装置のユーザ宛に通知する構成である場合には、該ユーザは通信装置が受信したファクシミリが誤りであることを認識することができるため、送信元端末のユーザに対して、誤りである旨を電話にて通知するなどの適切な処置を施すことが可能となる。
【００１５】
このように、本発明の構成によれば、送信元端末からのファクシミリの送信先が誤りであるか否かは、該ファクシミリの送信先番号が、通信装置に設定されているファクシミリ受信用の番号と一致するか否かにより判断する構成であるため、ファクシミリ受信用に設定された番号および該番号とは異なる番号を利用することが可能な通信装置において、上記送信先の誤りを判断することができると共に、該送信先が誤りである場合には、その旨を通知することが可能となる。
【００１６】
また、本発明の通信装置は、上記記載の通信装置において、上記送信元端末を識別するための送信元識別情報を上記データから取得する送信元識別情報取得手段と、上記送信元識別情報に対応する、上記送信元端末のメールアドレスを予め記憶しておく送信元情報記憶部と、上記送信元識別情報に基づいて、上記送信元情報記憶部から上記メールアドレスを取得する送信元情報取得手段とをさらに備え、上記通知手段は、上記送信元情報取得手段により取得された上記メールアドレスに、上記メッセージを送信することが好ましい。
【００１７】
上記の構成によれば、上記送信元端末から送信されたファクシミリの送信先が誤りである旨のメッセージが、送信元端末のメールアドレスにメール送信される。
【００１８】
これにより、送信元端末のユーザに上記ファクシミリの送信先が誤りであることを認識させることでき、以降の間違いファクシミリの送信を防ぐことが可能となる。
【００１９】
また、本発明の通信装置は、上記記載の通信装置において、上記通知手段は、上記送信元端末から受信したファクシミリデータの画像を添付ファイルとして、上記メッセージと共に送信することが好ましい。
【００２０】
上記の構成によれば、上記送信元端末から送信されたファクシミリデータの送信先が誤りである旨のメッセージと共に該ファクシミリデータの画像が、送信元端末に送信される。
【００２１】
これにより、送信元端末のユーザに上記ファクシミリの送信先が誤りであることを認識させることできると共に、該ユーザは、誤って送信したファクシミリの内容を確認することができるため、以降の間違いファクシミリの送信をより確実に防ぐことが可能となる。
【００２２】
また、本発明の通信装置は、上記記載の通信装置において、上記送信元端末を識別するための送信元識別情報を上記データから取得する送信元識別情報取得手段をさらに備え上記通知手段は、上記データの送信先番号が自装置のファクシミリ受信用に設定された番号と一致せず、かつ、上記データがファクシミリデータである場合には、上記送信元識別情報取得手段により取得された上記送信元識別情報を示す、上記送信元端末のファクシミリ番号に、上記メッセージを送信することが好ましい。
【００２３】
これにより、例えば、送信元端末から通信装置に間違いファクシミリが送信されてきた場合には、送信元識別情報取得手段のナンバーディスプレイ機能等により取得した送信元端末のファクシミリ番号に対して、上記メッセージを送信することができる。したがって、上記送信元情報記憶部に記憶されている送信元端末の情報（ここでは、ファクシミリ番号）を取得する処理を省略することができるため、上述の構成と比較して処理速度を向上させることが可能となる。
【００２４】
また、本発明の通信装置は、上記記載の通信装置において、上記送信元端末を識別するための送信元識別情報を上記データから取得する送信元識別情報取得手段と、上記送信元識別情報に対応する、上記送信元端末のファクシミリ番号を予め記憶しておく送信元情報記憶部と、上記送信元識別情報に基づいて、上記送信元情報記憶部から上記ファクシミリ番号を取得する送信元情報取得手段とをさらに備え、上記通知手段は、上記送信元情報取得手段により取得された上記ファクシミリ番号に、上記メッセージを送信することが好ましい。
【００２５】
上記の構成によれば、上記送信元端末から送信されたファクシミリの送信先が誤りである旨のメッセージが、送信元端末にファクシミリ送信される。
【００２６】
これにより、送信元端末のユーザに上記ファクシミリの送信先が誤りであることを認識させることでき、以降の間違いファクシミリの送信を防ぐことが可能となる。
【００２７】
また、本発明の通信装置は、上記記載の通信装置において、上記通知手段は、上記送信元端末から受信したファクシミリデータの画像を上記メッセージと共に送信することが好ましい。
【００２８】
上記の構成によれば、上記送信元端末から送信されたファクシミリの送信先が誤りである旨のメッセージと共に該ファクシミリデータの画像が、送信元端末に送信される。
【００２９】
これにより、送信元端末のユーザに上記ファクシミリの送信先が誤りであることを認識させることできると共に、該ユーザは、誤って送信したファクシミリの内容を確認することができるため、以降の間違いファクシミリの送信をより確実に防ぐことが可能となる。
【００３０】
また、本発明の通信装置は、上記記載の通信装置において、上記送信元端末を識別するための送信元識別情報を上記データから取得する送信元識別情報取得手段を備え、上記通知手段は、上記メッセージと共に、上記送信元識別情報を自装置のユーザに通知することが好ましい。
【００３１】
ここで、送信元端末を識別するための送信元識別情報とは、具体的には、送信元端末の電話番号やファクシミリ番号をいう。
【００３２】
上記の構成によれば、上記送信元端末から送信されたファクシミリの送信先が誤りである旨のメッセージと共に、上記送信元識別情報が通信装置のユーザに通知される。
【００３３】
これにより、通信装置のユーザは、該通信装置が受信したファクシミリが誤りであることを認識することができると共に、通知手段により通知された送信元識別情報すなわち送信元端末の電話番号やファクシミリ番号に基づいて、送信元端末のユーザに対して、送信されたファクシミリの送信先が誤りである旨を電話またはファクシミリにより通知することが可能となる。
【００３４】
なお、通知手段による通信装置のユーザに対する通知方法は、特に限定されるものではなく、例えば、通信装置から音声出力する構成や、通信装置の表示部に上記メッセージを表示する構成や、通信装置のユーザが所有するＰＣや携帯情報端末等に送信する構成が挙げられる。
【００３５】
また、本発明の通信装置は、上記記載の通信装置において、上記送信元端末を識別するための送信元識別情報を上記データから取得する送信元識別情報取得手段と、上記送信元識別情報に対応する、上記送信元端末のメールアドレスを予め記憶しておく送信元情報記憶部と、上記送信元識別情報に基づいて、上記送信元情報記憶部から上記メールアドレスを取得する送信元情報取得手段とをさらに備え、上記通知手段は、上記メッセージと共に、上記送信元情報取得手段により取得された上記送信元端末のメールアドレスを自装置のユーザに通知することが好ましい。
【００３６】
上記の構成によれば、上記送信元端末から送信されたファクシミリの送信先が誤りである旨のメッセージと共に、上記送信元情報取得手段により取得された上記送信元端末のメールアドレスが自装置のユーザに通知される。
【００３７】
これにより、通信装置のユーザは、該通信装置が受信したファクシミリが誤りであることを認識することができると共に、通知手段により通知された送信元端末のメールアドレスを用いて、送信元端末のユーザに対して、送信されたファクシミリの送信先が誤りである旨のメッセージをメール送信することが可能となる。
【００３８】
また、本発明の通信装置は、上記記載の通信装置において、上記送信元端末を識別するための送信元識別情報を上記データから取得する送信元識別情報取得手段と、上記送信元識別情報に対応する、上記送信元端末のファクシミリ番号を予め記憶しておく送信元情報記憶部と、上記送信元識別情報に基づいて、上記送信元情報記憶部から上記ファクシミリ番号を取得する送信元情報取得手段とをさらに備え、上記通知手段は、上記メッセージと共に、上記送信元情報取得手段により取得された上記送信元端末のファクシミリ番号を自装置のユーザに通知することが好ましい。
【００３９】
上記の構成によれば、上記送信元端末から送信されたファクシミリの送信先が誤りである旨のメッセージと共に、上記送信元情報取得手段により取得された上記送信元端末のファクシミリ番号が自装置のユーザに通知される。
【００４０】
これにより、通信装置のユーザは、該通信装置が受信したファクシミリが誤りであることを認識することができると共に、通知手段により通知された送信元端末のファクシミリ番号を用いて、送信元端末のユーザに対して、送信されたファクシミリの送信先が誤りである旨のメッセージをファクシミリ送信することが可能となる。
【００４１】
また、本発明の通信装置は、上記記載の通信装置において、上記送信元端末から、上記ファクシミリ受信用に設定された番号とは異なる番号でファクシミリデータを受信した場合に、自装置を該ファクシミリデータの受信が可能なモードに切り替えるモード切替手段を備えていることが好ましい。
【００４２】
上記の構成によれば、上記ファクシミリ受信用に設定された番号とは異なる番号でファクシミリデータを受信した場合でも、該ファクシミリデータの受信が可能となる。これにより、送信元端末のユーザに対しては、送信先番号が誤りであった旨のみを通知すればよく、該ファクシミリデータを改めて通信装置のファクシミリ受信用に設定された番号に送信させる必要はない。したがって、送信側端末（送信元端末）および受信側端末（通信装置）の両ユーザにおける送受信操作の手間を省くことができる。
【００４３】
また、本発明の通信装置は、上記記載の通信装置において、上記送信元端末から送信されたファクシミリデータを受信した時刻が、予め設定された時間帯に含まれるか否かを判断する受信時刻判断手段をさらに備え、上記通知手段は、上記ファクシミリデータを受信した時刻が予め設定された時間帯に含まれる場合には、上記メッセージデータを通知する一方、上記ファクシミリデータを受信した時刻が予め設定された時間帯に含まれない場合には、上記メッセージを通知しないことが好ましい。
【００４４】
上記の構成によれば、上記ファクシミリデータを受信した時刻が予め設定された時間帯に含まれる場合には、送信元端末から送信されたファクシミリデータの送信先が誤りである旨のメッセージが通知される。一方、上記ファクシミリデータを受信した時刻が予め設定された時間帯に含まれない場合には、上記メッセージは通知されない。
【００４５】
これにより、例えば、夜中の時間帯に、ファクシミリが誤って通信装置の電話番号に掛かってきた場合にのみ、送信元端末に誤りである旨のメッセージを通知することができる。このように、特定の時間帯に間違いファクシミリを受信した場合にのみ相手に通知する構成であるため、通知処理動作を必要最小限度に抑えることができ、通信装置の動作負荷を軽減することができる。また、通知手段からのメッセージが通信装置のユーザ宛に送信される構成である場合には、夜中の時間帯に上記メッセージが通知されることがないため、通信装置のユーザに対する通知の煩わしさを軽減することができる。
【００４６】
また、本発明の通信装置は、上記記載の通信装置において、上記メッセージの送信先の端末名と、該メッセージの送信日時とを関連付けて履歴として記憶する送信履歴記憶部をさらに備え、上記通知手段は、上記メッセージを送信元端末に送信してから予め設定された時間が経過するまでの間、該送信元端末に対して再度上記メッセージを送信しないことが好ましい。
【００４７】
上記の構成によれば、送信元端末から送信されたファクシミリの送信先が誤りである旨のメッセージを送信元端末に送信してから、予め設定された時間が経過するまでは同一の端末に対して再度上記メッセージは送信されない。これにより、短時間の間に連続して、間違いファクシミリを受信した場合に、その都度、誤りである旨のメッセージを送信元端末に送信しなくて済むため、通信装置の動作負荷を軽減することができる。
【００４８】
また、本発明の通信装置は、上記記載の通信装置において、ファクシミリデータを受信した履歴を記憶する受信履歴記憶部を備え、上記受信履歴記憶部は、ファクシミリ受信用に設定された番号とは異なる番号でファクシミリデータを受信した履歴を、該ファクシミリデータの送信元端末の情報と関連付けて記憶することが好ましい。
【００４９】
上記の構成によれば、受信履歴記憶部に記憶されるファクシミリの受信履歴において、ファクシミリ受信用に設定された番号とは異なる番号でファクシミリを受信した履歴が、該ファクシミリの送信元端末の情報と関連付けて記憶される。これにより、通信装置のユーザは、間違いファクシミリの送信元端末を容易に特定することができるため、送信元端末から送信されたファクシミリの送信先が誤りである旨のメッセージを送信元端末に通知することができる。
【００５０】
また、本発明の通信装置は、上記記載の通信装置において、上記送信元端末から送信されたファクシミリデータが、自装置のファクシミリ受信用に設定された番号とは異なる番号で受信された回数を計測する受信回数計測手段と、上記受信回数が予め設定された回数に達したか否かを判断する受信回数判断手段とをさらに備え、上記通知手段は、上記受信回数が予め設定された回数に達した場合には、上記メッセージを通知する一方、上記受信回数が予め設定された回数に達していない場合には、上記メッセージを通知しないことが好ましい。
【００５１】
上記の構成によれば、送信元端末から送信されたファクシミリデータが、自装置のファクシミリ受信用に設定された番号とは異なる番号で受信された回数が予め設定された回数に達した場合には、送信元端末から送信されたファクシミリの送信先が誤りである旨のメッセージが通知される。一方、上記受信回数が予め設定された回数に達していない場合には、上記メッセージは通知されない。
【００５２】
これにより、ファクシミリ番号を頻繁に間違える相手にだけ、送信先番号が誤りである旨を通知することができるため、通知処理動作を必要最小限度に抑えることができ、通信装置の動作負荷を軽減することができる。
【００５３】
また、本発明の通信装置は、上記記載の通信装置において、上記送信元端末から送信されたファクシミリデータが、自装置のファクシミリ受信用に設定された番号とは異なる番号で受信された回数を計測する受信回数計測手段と、上記受信回数に応じた上記通知手段が通知するメッセージを記憶する上記通知文書記憶部から、上記受信回数計測手段による計測結果に基づいてメッセージを選択する通知文書選択手段を備え、上記通知手段は、上記通知文書選択手段により選択されたメッセージを通知することが好ましい。
【００５４】
上記の構成によれば、送信元端末から送信されたファクシミリデータが、通信装置のファクシミリ受信用に設定された番号とは異なる番号で受信された回数に応じてメッセージが選択され、通知手段により通知される。
【００５５】
ここで、受信回数に応じたメッセージの内容は、受信回数が増加する程、強い口調とすることが好ましい。これにより、間違いファクシミリを繰り返し送信するユーザに対して、正確な送信操作の必要性をより確実に認識させることができる。
【００５６】
また、本発明の通信装置は、上記記載の通信装置において、上記通知文書記憶部は、ファクシミリ受信用に設定された番号とは異なる複数の番号に応じた、上記通知手段が通知するメッセージを記憶し、上記送信先番号取得手段により取得された番号に基づいて、上記通知文書記憶部からメッセージを選択する通知文書選択手段を備え、上記通知手段は、上記通知文書選択手段により選択されたメッセージを通知することが好ましい。
【００５７】
ここで、ファクシミリ受信用に設定された番号とは異なる複数の番号とは、例えば、家族内で親子別々に電話番号を設定している場合、具体的には、親用電話番号「○○○−××××−１１１１」、子供用電話番号「○○○−××××−４４４４」、ファクシミリ用番号「○○○−××××−２２２２」に設定されている場合が挙げられる。他の例としては、仕事用電話番号、プライベート用電話番号、ファクシミリ用番号に設定している場合が挙げられる。
【００５８】
上記の構成によれば、上記複数の番号の内、送信先番号取得手段により取得された番号に基づいて、上記通知文書記憶部からメッセージが選択され、通知手段により通知される。これにより、例えば、送信元端末に通知するメッセージに個人別の氏名（具体的には、親の名前または子供の名前）を付加して通知することが可能となる。また、上記他の例については、送信元端末に通知するメッセージに、仕事用電話番号の場合には商店名を付加し、プライベート用電話番号の場合には個人名を付加して通知することが可能となる。したがって、送信元端末のユーザは誰から送信されてきたのかを容易に確認することができる。
【００５９】
また、本発明の通信装置は、上記記載の通信装置において、上記送信元識別情報取得手段は、自装置が有する送信元番号識別機能を用いて上記送信元識別情報を取得することが好ましい。
【００６０】
上記の構成によれば、上記送信元識別情報は、通信装置が有する送信元番号識別機能を用いて取得される。なお、送信元番号識別機能とは、送信元の電話番号またはファクシミリ番号を表示するナンバーディスプレイ機能をいう。
【００６１】
これにより、送信元端末を識別することができるため、間違いファクシミリを送信した送信元端末を特定することが可能となる。
【００６２】
また、本発明の通信装置は、上記記載の通信装置において、上記データ判断手段により上記データがファクシミリデータであると判断された場合に、該ファクシミリデータに上記送信元端末を識別するための送信元識別情報が含まれているか否かを判断する送信元識別情報判断手段と、上記ファクシミリデータに上記送信元識別情報が含まれている場合には、上記ファクシミリデータから上記送信元識別情報を取得する送信元識別情報取得手段と上記送信元識別情報に対応する、上記送信元端末の送信元情報を予め記憶しておく送信元情報記憶部と、上記送信元識別情報に基づいて、上記送信元情報記憶部から上記送信元情報を取得する送信元情報取得手段とをさらに備え、上記通知手段は、上記送信元情報取得手段により取得された上記送信元情報に、上記メッセージを送信することが好ましい。
【００６３】
上記の構成によれば、上記送信元識別情報は、上記送信元端末から送信されるファクシミリデータに基づいて取得される。なお、送信元識別情報を示す信号は、送信元端末がファクシミリ送信した際に、ファクシミリ信号を表すＣＮＧ信号等のファクシミリ制御信号に含まれる。そして、送信元識別情報に基づいて取得された、送信元端末の送信元情報、例えばメールアドレスやファクシミリ番号等に上記メッセージを送信する。これにより、送信元端末を識別することができるため、間違いファクシミリを送信した送信元端末を特定することが可能となる。
【００６４】
また、本発明の通信装置は、上記記載の通信装置において、上記データ判断手段により上記データがファクシミリデータであると判断された場合に、該ファクシミリデータの画像を解析する画像解析手段と、上記画像解析手段により解析された画像に上記送信元端末を識別するための送信元識別情報が含まれているか否かを判断する送信元識別情報判断手段と、上記画像に上記送信元識別情報が含まれている場合には、上記画像から上記送信元識別情報を取得する送信元識別情報取得手段と、上記送信元識別情報に対応する、上記送信元端末の送信元情報を予め記憶しておく送信元情報記憶部と、上記送信元識別情報に基づいて、上記送信元情報記憶部から上記送信元情報を取得する送信元情報取得手段とをさらに備え、上記通知手段は、上記送信元情報取得手段により取得された上記送信元情報に、上記メッセージを送信することが好ましい。
【００６５】
上記の構成によれば、上記送信元識別情報は、上記送信元端末から送信されるファクシミリデータの画像に基づいて取得される。そして、送信元識別情報に基づいて取得された、送信元端末の送信元情報、例えばメールアドレスやファクシミリ番号等に上記メッセージを送信する。これにより、送信元端末を識別することができるため、間違いファクシミリを送信した送信元端末を特定することが可能となる。
【００６６】
なお、送信元識別情報を取得する具体的な方法としては、送信元端末から送信されたファクシミリデータの画像と、予め記憶されたパターンとを照合することによって、画像内の文字を特定し、該画像から文字データ（例えば、電話番号やファクシミリ番号）として取得する。
【００６７】
なお、上記通信装置は、コンピュータによって実現してもよく、この場合には、コンピュータを上記各手段として動作させることにより上記通信装置をコンピュータにて実現させる各装置の制御プログラム、およびそれを記録したコンピュータ読み取り可能な記録媒体も、本発明の範疇に入る。
【発明の効果】
【００６８】
本発明の通信装置は、以上のように、送信元端末から送信されたデータの送信先番号が、自装置のファクシミリ受信用に設定された番号と一致するか否かを判断する送信先番号判断手段と、上記データがファクシミリデータであるか否かを判断するデータ判断手段と、上記データの送信先番号が自装置のファクシミリ受信用に設定された番号と一致せず、かつ、上記データがファクシミリデータである場合には、上記送信元端末から送信されたファクシミリデータの送信先が誤りである旨のメッセージを通知する通知手段とを備える構成である。
【００６９】
また、本発明の通信装置の制御方法は、以上のように、送信元端末から送信されたデータの送信先番号が、自装置のファクシミリ受信用に設定された番号と一致するか否かを判断する送信先番号判断ステップと、上記データがファクシミリデータであるか否かを判断するデータ判断ステップと、上記データの送信先番号が自装置のファクシミリ受信用に設定された番号と一致せず、かつ、上記データがファクシミリデータである場合には、上記送信元端末から送信されたファクシミリデータの送信先が誤りである旨のメッセージを通知する通知ステップとを含む方法である。
【００７０】
これにより、送信元端末のユーザが、誤って通信装置の電話番号にファクシミリを送信した場合には、該通信装置では送信先が誤りであると判断され、その旨のメッセージが通知される。このように、送信元端末からのファクシミリの送信先が誤りであるか否かは、該ファクシミリの送信先番号が、通信装置に設定されているファクシミリ受信用の番号と一致するか否かにより判断する構成であるため、ファクシミリ受信用に設定された番号および該番号とは異なる番号を利用することが可能な通信装置において、上記送信先の誤りを判断することができると共に、該送信先が誤りである場合には、その旨を通知することできるという効果を奏する。
【発明を実施するための最良の形態】
【００７１】
〔実施の形態１〕
本発明の一実施形態について図１から図１０に基づいて説明すれば、以下のとおりである。なお、本発明の通信装置は、ファクシミリ送受信機能、電話機能、メール機能、インターネット接続機能等を備えたファクシミリ装置、中継器、複合機、パーソナルコンピュータ（ＰＣ）等の通信端末装置全般に適用可能である。また、本発明の通信装置は、ファクシミリ受信用に設定された番号（以下、ファクシミリ用番号と示す）と、該番号とは異なる番号すなわち電話番号とを利用可能な装置である。
【００７２】
図１は、本実施の形態１における通信装置１の概略構成を示すブロック図である。通信装置１は、ネットワークを介して複数の端末に接続されている。通信装置１は、通信部２と、制御部３と、記憶部５と、操作部６と、表示部７とを備えている。
【００７３】
通信部２は、ネットワークを介して他の端末とデータ通信を行うものであり、例えば、電話機による通話、ファクシミリの送受信、電子メールの送受信、インターネットへのアクセスなどを行う。
【００７４】
制御部３は、ＣＰＵ（Central Processing Unit）などからなり、通信装置１における各種構成の動作を統括的に制御する。制御部３は、送信元番号取得部（送信元識別情報取得手段）３１と、送信先番号取得部（送信先番号取得手段）３２と、送信先番号判断部（送信先番号判断手段）３３と、ＴＥＬ／ＦＡＸ判断部（データ判断手段）３４と、ＴＥＬ／ＦＡＸ切替部（モード切替手段）３５と、送信元情報取得部（送信元情報取得手段）３６と、通知部（通知手段）３７とを備えている。
【００７５】
送信元番号取得部３１は、送信元端末１０を識別するための情報（送信元識別情報）、具体的には、送信元端末１０の電話番号またはファクシミリ番号（以下、送信元番号と示す）を取得するものである。送信元番号取得部３１は、例えば、通信装置１に搭載されるナンバーディスプレイ機能（送信元番号識別機能）を利用して、上記送信元番号を取得する。
【００７６】
記憶部５は、送信元情報記憶部５１と通知文書記憶部５２とを備えている。送信元情報記憶部５１は、送信元番号と、送信元番号に対応する送信元端末１０のメールアドレスと、送信元端末１０のユーザ名とを関連付けて記憶するものである。具体的には、送信元情報記憶部５１は、例えば、図２に示すテーブルによって構成されている。通知文書記憶部５２は、送信元端末１０から送信されたファクシミリの送信先が誤り（間違いファクシミリ）である旨のメッセージを記憶するものである。なお、送信元情報記憶部５１および通知文書記憶部５２に記憶されるデータは、通信装置１の操作部６を操作するユーザによって、登録・変更・削除等を行うことができる。また、送信元情報記憶部５１において、送信元番号が上記テーブルに登録されていない場合には、通信装置１が送信元端末１０からファクシミリを受信した時点で、自動的に送信元番号が上記テーブルに登録される構成としてもよい。
【００７７】
なお、送信元情報記憶部５１に登録される上記メールアドレスは、送信元端末１０のアドレスに限定されるものではなく、例えば、送信元端末１０を利用するユーザが所有するＰＣや携帯電話等の他の端末のアドレスであってもよい。
【００７８】
なお、本実施の形態では、記憶部５は、通信装置１の内部に備えられている構成としているが、特に限定されるものではく、例えば、外付けのハードディスクを使用した構成であってもよい。
【００７９】
送信先番号取得部３２は、送信元端末１０から送信されたデータ、すなわちファクシミリデータまたは電話（音声）データの送信先番号を取得するものである。なお、送信先番号とは、具体的には、通信装置１におけるファクシミリ用番号または電話番号のいずれかである。送信先番号を取得する方法としては、送信元番号を取得する際に利用するナンバーディスプレイ機能と同様の原理を有するダイヤルイン機能を利用する方法が挙げられる。
【００８０】
送信先番号判断部３３は、送信先番号取得部３２により取得された送信先番号が、通信装置１におけるファクシミリ用番号と一致するか否かを判断する。
【００８１】
ＴＥＬ／ＦＡＸ判断部３４は、送信元端末１０から送信されたデータが、ファクシミリデータであるか電話データであるかを判断する。具体的には例えば、送信元端末１０から送信されたデータの信号が、ファクシミリ信号を表すファクシミリ制御信号であるか否かを判断する。具体的なファクシミリ制御信号としては、例えば、ＣＮＧ信号が挙げられる。
【００８２】
ＴＥＬ／ＦＡＸ切替部３５は、ＴＥＬ／ＦＡＸ判断部３４の判断結果に基づいて、通信装置１をＦＡＸ受信モードまたは電話モードに切り替える。
【００８３】
送信元情報取得部３６は、送信元端末１０の情報、例えば送信元端末１０のユーザ名、メールアドレス、ファクシミリ番号などを取得するものである。送信元情報取得部３６は、具体的には、送信元情報記憶部５１に格納されているテーブルから、送信元番号取得部３１により取得された送信元番号に対応する上記情報を取得する。以下では、送信元情報取得部３６が、送信元端末１０のメールアドレスを取得する構成として説明する。
【００８４】
通知部３７は、送信元端末１０および通信装置１、あるいは、送信元端末１０または通信装置１のいずれか一方に、ファクシミリの送信先が誤りである旨を通知する。通知方法としては、例えば、送信元番号取得部３１により取得した送信元の電話番号に対応するメールアドレスに、メッセージを送信する方法が挙げられる。
【００８５】
次に、図１〜図３を参照して、通信装置１の各部の機能を、具体的な動作と共に説明する。図３は、外部端末である送信元端末１０からファクシミリ信号または電話信号を受信したときの通信装置１の動作を示す処理フロー図である。ここで、送信元端末１０に設定されている電話番号を「○○○−××××−００００」（以下、「００００」と示す）、送信元端末１０に設定されているファクシミリ用番号を「○○○−××××−３３３３」（以下、「３３３３」と示す）、通信装置１に設定されている電話番号を「○○○−××××−１１１１」（以下、「１１１１」と示す）、通信装置１に設定されているファクシミリ用番号を「○○○−××××−２２２２」（以下、「２２２２」と示す）と仮定する。
【００８６】
まず、図３のステップ１において（以降、Ｓ１のように称する）、通信装置１は、ネットワークを介して通信部２により外部端末からファクシミリ信号または電話信号を受信する。この受信動作が行われない場合（Ｓ１にてＮＯ）には、受信動作が繰り返し行われる。ファクシミリ信号または電話信号を受信した通信装置１では、呼び出し音が鳴動する。
【００８７】
次に、送信元番号取得部３１が、送信元番号すなわち送信元端末１０の電話番号（「００００」）またはファクシミリ番号（「３３３３」）を取得する（Ｓ２）。ここでは、ナンバーディスプレイ機能により送信元端末１０の電話番号（「００００」）を取得するものとする。つづいて、送信先番号取得部３２が、送信元端末１０から送信されたファクシミリ信号または電話信号の送信先番号、すなわち「１１１１」または「２２２２」のいずれか一方を取得する（Ｓ３）。
【００８８】
次に、送信先番号判断部３３が、送信先番号取得部３２により取得された送信先番号が通信装置１におけるファクシミリ用番号（「２２２２」）と一致するか否かを判断する（Ｓ４）。そして、上記送信先番号が、ファクシミリ用番号（「２２２２」）と一致しない場合（Ｓ４にてＮＯ）には、ＴＥＬ／ＦＡＸ判断部３４が、送信元端末１０から送信された信号がファクシミリ信号であるか否かを判断する（Ｓ５）。ここでは、ＴＥＬ／ＦＡＸ判断部３４は、送信元端末１０から送信された信号がファクシミリ制御信号であるか否かにより、ファクシミリ信号であるか否かを判断する。
【００８９】
送信元端末１０から送信された信号がファクシミリ信号（ファクシミリ制御信号）である（Ｓ５にてＹＥＳ）場合、すなわち、送信元端末１０から、誤って通信装置１の電話番号（「１１１１」）宛にファクシミリが送信されてきた場合、ＴＥＬ／ＦＡＸ切替部３５は、通信装置１をＦＡＸ受信モードに切り替え、間違いファクシミリを受信する（Ｓ６）。なお、ファクシミリが電話番号に誤って送信されてきた場合に、ＦＡＸ受信モードに切り替えず、上記間違いファクシミリを受信しない構成としてもよい。この場合には、Ｓ６の処理を省略してもよい。
【００９０】
一方、送信元端末１０から送信された信号がファクシミリ信号（ファクシミリ制御信号）でない（Ｓ５にてＮＯ）場合、すなわち、送信元端末１０のユーザが通信装置１のユーザ宛に電話を掛けてきた場合には、ＴＥＬ／ＦＡＸ切替部３５は通信装置１を電話モードに切り替える（Ｓ７）。そして、通信装置１のユーザが受話器を取り上げることにより通話状態となる。
【００９１】
次に、Ｓ６にて間違いファクシミリを受信後、送信元情報取得部３６は、Ｓ２にて送信元番号取得部３１が取得した送信元端末１０の電話番号（「００００」）に対応するメールアドレス（「ａｂｃ＠・・・」）を、送信元情報記憶部５１から取得する（Ｓ８）。そして、送信元端末１０のメールアドレスを取得した場合（Ｓ８にてＹＥＳ）、通知部３７は、送信されたファクシミリの送信先番号が誤りである旨のメッセージを送信元端末１０のメールアドレスに送信する（Ｓ９）。なお、上記メッセージを送信する際に、通信装置１が受信した間違いファクシミリのファクシミリ画像（ファクシミリデータの画像）を添付ファイルとして送信してもよい。
【００９２】
一方、送信元端末１０のメールアドレスを取得できなかった場合、すなわち送信元端末１０の電話番号が送信元情報記憶部５１に登録されていない場合（Ｓ８にてＮＯ）には、通知部３７による送信元端末１０への通知動作は行われず、通常状態に戻る。なお、この場合には、Ｓ２にて送信元番号取得部３１が取得した送信元番号が送信元情報記憶部５１に登録される構成としてもよい。
【００９３】
これに対して、上記送信先番号がファクシミリ用番号（「２２２２」）である場合（Ｓ４にてＹＥＳ）には、ＴＥＬ／ＦＡＸ判断部３４が、送信元端末１０から送信された信号がファクシミリ信号であるか否かを判断する（Ｓ１０）。なお、ＴＥＬ／ＦＡＸ判断部３４は、上述のように、送信元端末１０から送信された信号がファクシミリ制御信号であるか否かにより、ファクシミリ信号であるか否かを判断する。
【００９４】
送信元端末１０から送信された信号がファクシミリ信号（ファクシミリ制御信号）である（Ｓ１０にてＹＥＳ）場合、すなわち、送信元端末１０から、正常に通信装置１のファクシミリ用番号（「２２２２」）宛にファクシミリが送信されてきた場合、ＴＥＬ／ＦＡＸ切替部３５は、通信装置１をＦＡＸ受信モードに切り替え、ファクシミリを受信する（Ｓ１１）。この場合は、正常にファクシミリが送信されるため、通信装置１では無鳴動で該ファクシミリの受信が可能となる。
【００９５】
一方、送信元端末１０から送信された信号がファクシミリ信号（ファクシミリ制御信号）でない（Ｓ１０にてＮＯ）場合、すなわち、送信元端末１０のユーザが、誤って通信装置１のファクシミリ用番号に電話を掛けてきた場合、ＴＥＬ／ＦＡＸ切替部３５は、通信装置１を電話モードに切り替える（Ｓ１２）。そして、通信装置１のユーザが受話器を取り上げることにより通話状態となる。
【００９６】
以上のように、本実施の形態の通信装置１では、送信元端末１０からのファクシミリの送信先が誤りであるか否かは、該ファクシミリの送信先番号が、通信装置１に設定されているファクシミリ用番号と一致するか否かにより判断する構成であるため、上記送信先の誤りを正確に判断することができると共に、該送信先が誤りである場合には、その旨を送信元端末１０に通知することが可能となる。
【００９７】
なお、上記メッセージの通知方法は、送信元端末１０のメールアドレスにメール送信する構成に限定されるものではなく、例えば、ファクシミリ送信する構成であってもよい。この場合には、受信したファクシミリ画像に上記メッセージを添付して送信する構成が好ましい。これにより、送信元端末１０のユーザに対して、誤って送信したファクシミリを容易に確認させることができる。
【００９８】
また、送信元端末１０の情報、すなわち電話番号、ファクシミリ番号およびメールアドレス等が送信元情報記憶部５１に複数登録されている場合には、それぞれの送信元情報に対して上記メッセージを送信する構成であってもよい。これにより、送信元端末１０のユーザに対して、ファクシミリの送信先が誤りであることをより確実に認識させることができる。
【００９９】
また、本実施の形態では、通知部３７は、送信されたファクシミリの送信先番号が誤りである旨のメッセージを送信元端末１０に送信する構成としているが、これに限定されるものではなく、例えば、通信装置１のユーザに上記メッセージを通知すべく、該メッセージを通信装置１の表示部７に表示する構成や、通信装置１から音声出力する構成としてもよい。また、上記メッセージを通信装置１のユーザが所有するＰＣや携帯情報端末等に送信する構成としてもよい。これらの構成によれば、通信装置１のユーザは、通信装置１が受信したファクシミリが間違いファクシミリであることを認識できる。また、上記メッセージに送信元端末１０の電話番号やファクシミリ番号やメールアドレス等の情報が含まれている場合には、通信装置１のユーザは、送信元端末１０のユーザにファクシミリの送信先が誤りである旨を通知することができる。なお、上述のように、通知部３７による通知先を送信元端末１０とは異なる端末とする場合には、図３に示すフロー図において、Ｓ２の送信元番号取得処理およびＳ８のメールアドレス取得処理を省略することができる。
【０１００】
また、通知部３７が送信元端末１０に通知するメッセージ（通知文書）の内容は、例えば「ファクシミリの送信先番号が違います。確認して下さい。」や、「正しいファクシミリ用番号は『○○○−××××−２２２２』です。次回からはこちらにお掛け下さい。」など、正しいファクシミリ番号への送信を送信元端末１０のユーザに促す内容であることが好ましい。また、通信装置１のユーザに通知する場合には、単に誤りを通知する「送信先番号が誤りであるファクシミリを受信しました。」といった内容や、送信元端末１０の情報も合わせて通知する「電話番号が『○○○−××××−００００』のユーザＡから、送信先番号が誤りであるファクシミリを受信しました。」または「メールアドレスが『ａｂｃ＠・・・』のユーザＡから、送信先番号が誤りであるファクシミリを受信しました。」といった内容であることが好ましい。
【０１０１】
また、通知部３７は、送信元識別情報取得部３１により取得されたファクシミリ番号に、上記メッセージを送信する構成であってもよい。具体的には、送信元識別情報取得部３１が、送信元端末１０から送信されたデータから送信元端末１０の送信元番号（電話番号またはファクシミリ番号）を取得して、送信先番号判断部３３により上記データの送信先番号が通信装置１のファクシミリ用番号と一致しないと判定され、かつ、ＴＥＬ／ＦＡＸ判断部３４により上記データがファクシミリデータであると判定された場合には、通知部３７が、送信元識別情報取得部３１により取得された送信元番号を示すファクシミリ番号に、上記メッセージを送信する。
【０１０２】
このように、間違いファクシミリが送信されてきた場合には、ナンバーディスプレイ機能等により取得した送信元端末のファクシミリ番号に対して、上記メッセージを送信することにより、送信元情報記憶部５１から送信元情報（ここでは、ファクシミリ番号）を取得する処理を省略することができるため、上述の構成と比較して処理速度を向上させることが可能となる。
【０１０３】
ここで、通知部３７が、送信元端末１０からのファクシミリの送信先番号が誤りである旨を通知する他の構成について以下に説明する。
【０１０４】
本実施の形態における通信装置１は、送信元端末１０から送信されたファクシミリを受信した時刻が、予め設定された時間帯に含まれるか否かを判断する受信時刻判断部３８（受信時刻判断手段）をさらに備え、通知部３７は、上記ファクシミリを受信した時刻が予め設定された時間帯に含まれる場合には、上記メッセージを送信元端末１０に送信する一方、上記ファクシミリを受信した時刻が予め設定された時間帯に含まれない場合には、上記メッセージを送信元端末１０に送信しないことが好ましい。なお、通信装置１がファクシミリを受信した時刻は、通信装置１が備える、時計機能を有する一般的なタイマにより取得することができる。
【０１０５】
図４は、受信時刻判断部３８を備える通信装置１の概略構成を示すブロック図である。また、図５は、受信時刻判断部３８を備える通信装置１の動作を示す処理フロー図である。
【０１０６】
図３に示すフロー図のＳ８にて、送信元情報取得部３６が、送信元端末１０のメールアドレスを取得した場合（Ｓ８にてＹＥＳ）、図５に示すように、受信時刻判断部３８は、通信装置１が送信元端末１０から送信されたファクシミリを受信した時刻が、予め設定された時間帯に含まれるか否かを判断する（Ｓ８１）。そして、通信装置１が送信元端末１０から送信されたファクシミリを受信した時刻が、予め設定された時間帯に含まれる場合（Ｓ８１にてＹＥＳ）には、上記メッセージを送信元端末１０に送信し（Ｓ９）、予め設定された時間帯に含まれない場合（Ｓ８１にてＮＯ）には、上記メッセージを送信元端末１０に送信しないで通常状態に戻る。
【０１０７】
これにより、例えば、夜中の時間帯にファクシミリが誤って電話番号に掛かってきた場合にのみ、送信元端末１０に誤りである旨のメッセージを通知することができる。このように、特定の時間帯に間違いファクシミリを受信した場合にのみ相手に通知する構成であるため、通知処理動作を必要最小限度に抑えることができ、通信装置１の動作負荷を軽減することができる。また、通知部３７からのメッセージが通信装置１のユーザ宛に送信される構成である場合には、夜中の時間帯に上記メッセージが通知されることがないため、通信装置１のユーザに対する通知の煩わしさを抑えることができる。
【０１０８】
また、記憶部５は、上記メッセージの送信先の端末名と、該メッセージの送信日時とを関連付けて履歴として記憶する送信履歴記憶部（図示せず）をさらに備え、タイマ８は、上記メッセージを送信してからの経過時間を計測し、通知部３７は、上記メッセージを送信してから予め設定された時間が経過する前までの間、同一の端末に対して再度上記メッセージを送信しないことが好ましい。例えば、上記時間を１０分に設定していた場合、ファクシミリを送信した送信元端末１０に対して、誤りである旨のメッセージを送信してから５分後に、再び該送信元端末１０から間違いファクシミリを受信した場合には、上記メッセージを該送信元端末１０に送信しない。これにより、短時間の間に連続して、間違いファクシミリを受信した場合に、その都度、誤りである旨のメッセージを送信元端末１０に送信しなくて済むため、通信装置１の動作負荷を軽減することができる。
【０１０９】
また、記憶部５は、ファクシミリを受信した履歴を記憶する受信履歴記憶部（図示せず）を備え、ファクシミリ用番号とは異なる番号、すなわち電話番号でファクシミリを受信した履歴を該ファクシミリの送信元端末１０の情報と関連付けて記憶することが好ましい。そして、上記受信履歴のうち、誤って電話番号宛にファクシミリが送信されてきた項目をマーキングする構成とすることが好ましい。これにより、通信装置１のユーザは、間違いファクシミリの送信元端末１０を容易に特定することができ、誤りである旨のメッセージを送信元端末１０に送信することが可能となる。
【０１１０】
また、本実施の形態における通信装置１は、送信元端末１０から送信されたファクシミリが、通信装置１のファクシミリ用番号とは異なる番号で受信された回数を計測する受信回数計測部（受信回数計測手段）３９と、上記受信回数が予め設定された回数に達したか否かを判断する受信回数判断部（受信回数判断手段）４０とをさらに備え、通知部３７は、上記受信回数が予め設定された回数に達した場合には、上記メッセージを送信元端末１０に送信する一方、上記受信回数が予め設定された回数に達していない場合には、上記メッセージを送信元端末１０に送信しないことが好ましい。
【０１１１】
図６は、受信回数計測部３９と受信回数判断部４０とを備える通信装置１の概略構成を示すブロック図である。また、図７は、受信回数計測部３９と受信回数判断部４０とを備える通信装置１の動作を示す処理フロー図である。
【０１１２】
図３に示すフロー図のＳ８にて、送信元情報取得部３６が、送信元端末１０のメールアドレスを取得した場合（Ｓ８にてＹＥＳ）、図７に示すように、受信回数計測部３９は、送信元端末１０から送信されたファクシミリが、通信装置１のファクシミリ用番号とは異なる番号に受信された回数を計測する（Ｓ８２）。次に、受信回数判断部４０が、上記受信回数が予め設定された回数に達するか否かを判断（Ｓ８３）し、上記受信回数が予め設定された回数に達した場合（Ｓ８３にてＹＥＳ）には、上記メッセージを送信元端末１０に送信する（Ｓ９）。一方、上記受信回数が予め設定された回数に達していない場合（Ｓ８３にてＮＯ）には、上記メッセージを送信元端末１０に送信しない。
【０１１３】
これにより、ファクシミリ番号を頻繁に間違える相手にだけ、送信先番号が誤りである旨を通知することができるため、通知処理動作を必要最小限度に抑えることができ、通信装置１の動作負荷を軽減することができる。
【０１１４】
また、本実施の形態における通信装置１は、上述の受信回数計測部３９と、通知部３７が通知するメッセージを上記受信回数に応じて選択する通知文書選択部（通知文書選択手段）４１とを備え、通知文書記憶部５２は、上記受信回数に応じたメッセージを記憶し、通知部３７は、受信回数計測部３９が計測した受信回数に基づいて記憶部５から選択されたメッセージを送信元端末１０に送信することが好ましい。
【０１１５】
図８は、受信回数計測部３９と通知文書選択部４１とを備える通信装置１の概略構成を示すブロック図である。図９は、受信回数計測部３９と通知文書選択部４１とを備える通信装置１の動作を示す処理フロー図である。また、図１０は、通知文書記憶部５２に格納される、上記受信回数とそれに対応するメッセージ（通知文書）の関係を示すテーブルを説明するデータ構造である。
【０１１６】
図３に示すフロー図のＳ８にて、送信元情報取得部３６が、送信元端末１０のメールアドレスを取得した場合（Ｓ８にてＹＥＳ）、図９に示すように、受信回数計測部３９は、送信元端末１０から送信されたファクシミリが、通信装置１のファクシミリ用番号とは異なる番号に受信された回数を計測する（Ｓ８４）。そして、通知文書選択部４１は、通知文書記憶部５２に格納されているテーブルを参照して、上記受信回数に応じたメッセージを選択し（Ｓ８５）、通知部３７は、選択されたメッセージを送信元端末１０に送信する（Ｓ９）。
【０１１７】
なお、メッセージの内容は、図１０に示すように、受信回数が増加する程、厳しい内容とすることが好ましい。これにより、間違いファクシミリを繰り返し送信するユーザに対して、正確な送信操作の必要性をより確実に認識させることが可能となる。
【０１１８】
また、本実施の形態における通信装置１は、電話番号とファクシミリ用番号とが１つずつ設定されている構成であるが、これに限定されるものではなく、電話番号は複数設定されていてもよい。例えば、家族内で親子別々に電話番号を設定している場合、具体的には、親用電話番号「○○○−××××−１１１１」、子供用電話番号「○○○−××××−４４４４」、ファクシミリ用番号「○○○−××××−２２２２」に設定されている場合が挙げられる。この場合には、送信先番号別に通知部３７による通知内容を登録することが好ましい。具体的には、送信元端末１０から親用電話番号「○○○−××××−１１１１」に間違いファクシミリが送信された場合には「正しいファクシミリ用番号は『○○○−××××−２２２２』です。“（親の名前）”」といった内容のメッセージを通知し、子供用電話番号「○○○−××××−４４４４」に間違いファクシミリが送信された場合には「正しいファクシミリ用番号は『○○○−××××−２２２２』です。“（子供の名前）”」といった内容のメッセージを通知する。これにより、間違いファクシミリの送信先番号別に異なる内容のメッセージを送信元端末１０に通知することができるため、送信元端末１０のユーザは誰からメッセージがあったのか判断し易くなるという効果を奏する。
【０１１９】
〔実施の形態２〕
本発明の他の実施形態について図１１および図１２に基づいて説明すれば、以下のとおりである。なお、説明の便宜上、上記実施の形態１において示した部材と同一の機能を有する部材には、同一の符号を付し、その説明を省略する。また、実施の形態１において定義した用語については、特に断らない限り本実施の形態においてもその定義に則って用いるものとする。
【０１２０】
図１１は、本実施の形態２における通信装置１′の概略構成を示すブロック図である。上記実施の形態１では、通信装置１の送信元番号取得部３１は、通信装置１が有するナンバーディスプレイ機能を用いて、送信元番号（送信元識別情報）すなわち送信元端末１０の電話番号またはファクシミリ番号を取得する構成であったが、本実施の形態２では、上記送信元番号を送信元端末１０から送信されたファクシミリデータのファクシミリ信号に基づいて取得する構成である。
【０１２１】
本実施形態の通信装置１′では、上記実施の形態１における通信装置１において、さらに、送信元番号判断部（送信元識別情報判断手段）４２を備えている。
【０１２２】
送信元番号判断部４２は、送信元端末１０から送信されたファクシミリデータのファクシミリ信号に、送信元番号すなわち送信元端末１０の電話番号またはファクシミリ番号が含まれているか否かを判断するものである。そして、上記ファクシミリ信号に上記送信元番号が含まれている場合には、送信元番号取得部（送信元識別情報取得手段）３１が上記送信元番号を取得する。なお、送信元番号を示す信号は、送信元端末１０がファクシミリ送信した際に、ファクシミリ信号を表すＣＮＧ信号等のファクシミリ制御信号に含まれている。
【０１２３】
次に、図１１および図１２を参照して、通信装置１′の各部の機能を、具体的な動作と共に説明する。図１２は、外部端末の送信元端末１０からファクシミリ信号または電話信号を受信したときの通信装置１′の動作を示す処理フロー図である。ここで、送信元端末１０に設定されている電話番号（「００００」）、送信元端末１０に設定されているファクシミリ用番号（「３３３３」）、通信装置１′に設定されている電話番号（「１１１１」）、通信装置１′に設定されているファクシミリ用番号（「２２２２」）は、上記実施の形態１と同一のものとする。
【０１２４】
まず、図１２のステップ１において、通信装置１′は、ネットワークを介して通信部２により外部端末からファクシミリ信号または電話信号を受信する。この受信動作が行われない場合（Ｓ２１にてＮＯ）には、受信動作が繰り返し行われる。ファクシミリ信号または電話信号を受信した通信装置１′では、呼び出し音が鳴動する。
【０１２５】
次に、送信先番号取得部３２が、送信元端末１０から送信されたファクシミリ信号または電話信号の送信先番号、すなわち「１１１１」または「２２２２」のいずれか一方を取得する（Ｓ２２）。
【０１２６】
次に、送信先番号判断部３３が、送信先番号取得部３２により取得された送信先番号が、通信装置１′におけるファクシミリ用番号（「２２２２」）と一致するか否かを判断する（Ｓ２３）。そして、上記送信先番号が、ファクシミリ用番号（「２２２２」）と一致しない場合（Ｓ２３にてＮＯ）には、ＴＥＬ／ＦＡＸ判断部３４が、送信元端末１０から送信された信号がファクシミリ信号であるか否かを判断する（Ｓ２４）。ここでは、ＴＥＬ／ＦＡＸ判断部３４は、送信元端末１０から送信された信号がファクシミリ制御信号であるか否かにより、ファクシミリ信号であるか否かを判断する。
【０１２７】
送信元端末１０から送信された信号がファクシミリ信号（ファクシミリ制御信号）である（Ｓ２４にてＹＥＳ）場合、すなわち、送信元端末１０から、誤って通信装置１′の電話番号（「１１１１」）宛にファクシミリが送信されてきた場合、ＴＥＬ／ＦＡＸ切替部３５は、通信装置１′をＦＡＸ受信モードに切り替え、間違いファクシミリを受信する（Ｓ２５）。なお、ファクシミリが電話番号に誤って送信されてきた場合に、ＦＡＸ受信モードに切り替えず、上記間違いファクシミリを受信しない構成としてもよい。よって、Ｓ２５の処理を省略してもよい。
【０１２８】
一方、送信元端末１０から送信された信号がファクシミリ信号（ファクシミリ制御信号）でない（Ｓ２４にてＮＯ）場合、すなわち、送信元端末１０のユーザが通信装置１′のユーザ宛に電話を掛けてきた場合には、ＴＥＬ／ＦＡＸ切替部３５は通信装置１′を電話モードに切り替える（Ｓ２６）。そして、通信装置１′のユーザが受話器を取り上げることにより通話状態となる。
【０１２９】
次に、Ｓ２５にて間違いファクシミリを受信後、送信元番号判断部４２は、通信装置１′が受信したファクシミリ信号に送信元番号（ここでは、送信元端末１０の電話番号「００００」とする）が含まれているか否かを判断する（Ｓ２７）。そして、ファクシミリ番号に送信元端末１０の電話番号が含まれている場合（Ｓ２７にてＹＥＳ）には、送信元番号取得部３１が、送信元端末１０の電話番号（「００００」）を取得する（Ｓ２８）。なお、ファクシミリ番号に送信元端末１０の電話番号が含まれていない場合（Ｓ２７にてＮＯ）は、通常状態に戻る。
【０１３０】
次に、送信元情報取得部３６は、Ｓ２８にて送信元番号取得部３１が取得した送信元端末１０の電話番号（「００００」）に対応するメールアドレス（「ａｂｃ＠・・・」）を、送信元情報記憶部５１から取得する（Ｓ２９）。そして、送信元端末１０のメールアドレスを取得した場合（Ｓ２９にてＹＥＳ）、通知部３７は、送信されたファクシミリの送信先番号が誤りである旨のメッセージを送信元端末１０のメールアドレスに送信する（Ｓ３０）。なお、上記メッセージを送信する際に、通信装置１′が受信した間違いファクシミリ画像を添付ファイルとして送信してもよい。
【０１３１】
一方、送信元端末１０のメールアドレスを取得できなかった場合、すなわち送信元端末１０の電話番号が送信元情報記憶部５１に登録されていない場合（Ｓ２９にてＮＯ）には、通知部３７による送信元端末１０への通知動作は行われず、通常状態に戻る。なお、この場合には、Ｓ２８にて送信元番号取得部３１が取得した送信元番号が送信元情報記憶部５１に登録される構成としてもよい。
【０１３２】
これに対して、上記送信先番号がファクシミリ用番号（「２２２２」）である場合（Ｓ２３にてＹＥＳ）の以降のＳ３１〜Ｓ３３の処理は、上記実施の形態１の図３のフロー図におけるＳ１０〜Ｓ１２の処理と同一である。
【０１３３】
なお、上記実施の形態１で説明した、通知部３７が送信元端末１０からのファクシミリの送信先番号が誤りである旨を通知する他の構成、具体的には、図５、図７および図９のフロー図に示す構成は、送信元情報取得部３６が送信元端末１０のメールアドレスを取得した後に実行される構成であるため、本実施の形態２の通信装置１′においても適用可能である。
【０１３４】
〔実施の形態３〕
本発明の他の実施形態について図１３および図１４に基づいて説明すれば、以下のとおりである。なお、説明の便宜上、上記実施の形態１および２において示した部材と同一の機能を有する部材には、同一の符号を付し、その説明を省略する。また、実施の形態１および２において定義した用語については、特に断らない限り本実施の形態においてもその定義に則って用いるものとする。
【０１３５】
図１３は、本実施の形態３における通信装置１″の概略構成を示すブロック図である。上記実施の形態２では、通信装置１′の送信元番号取得部３１は、送信元端末１０から送信されたファクシミリデータのファクシミリ信号に基づいて、送信元番号（送信元識別情報）すなわち送信元端末１０の電話番号またはファクシミリ番号を取得する構成であったが、本実施の形態３では、上記送信元番号を送信元端末１０から送信されたファクシミリデータの画像（ファクシミリ画像）に基づいて取得する構成である。
【０１３６】
本実施形態の通信装置１″では、上記実施の形態１における通信装置１において、さらに、実施の形態２において説明した送信元番号判断部４２と、画像解析部（画像解析手段）４３とを備えている。
【０１３７】
画像解析部４３は、送信元端末１０から受信したファクシミリ画像から送信元番号を取得すべく、該ファクシミリ画像を解析するものである。具体的には、画像解析部４３は、送信元端末１０から送信されたファクシミリ画像と、予め記憶されたパターンとを照合することによって、ファクシミリ画像内の文字を特定し、該ファクシミリ画像から文字データ（ここでは、送信元番号）として取得する。
【０１３８】
送信元番号判断部４２は、上述した画像解析部４３の解析処理の結果に基づいて、ファクシミリ画像に送信元番号すなわち送信元端末１０の電話番号またはファクシミリ番号が含まれているか否かを判断するものである。そして、上記ファクシミリ画像に上記送信元番号が含まれている場合には、送信元番号取得部（送信元識別情報取得手段）３１が上記送信元番号を取得する。
【０１３９】
次に、図１３および図１４を参照して、通信装置１″の各部の機能を、具体的な動作と共に説明する。図１４は、外部端末の送信元端末１０からファクシミリ信号または電話信号を受信したときの通信装置１″の動作を示す処理フロー図である。ここで、送信元端末１０に設定されている電話番号（「００００」）、送信元端末１０に設定されているファクシミリ用番号（「３３３３」）、通信装置１″に設定されている電話番号（「１１１１」）、通信装置１″に設定されているファクシミリ用番号（「２２２２」）は、上記実施の形態１と同一のものとする。
【０１４０】
まず、図１４のステップ１において、通信装置１″は、ネットワークを介して通信部２により外部端末からファクシミリ信号または電話信号を受信する。この受信動作が行われない場合（Ｓ４１にてＮＯ）には、受信動作が繰り返し行われる。ファクシミリ信号または電話信号を受信した通信装置１″では、呼び出し音が鳴動する。
【０１４１】
次に、送信先番号取得部３２が、送信元端末１０から送信されたファクシミリ信号または電話信号の送信先番号、すなわち「１１１１」または「２２２２」のいずれか一方を取得する（Ｓ４２）。
【０１４２】
次に、送信先番号判断部３３が、送信先番号取得部３２により取得された送信先番号が、通信装置１″におけるファクシミリ用番号（「２２２２」）と一致するか否かを判断する（Ｓ４３）。そして、上記送信先番号が、ファクシミリ用番号（「２２２２」）と一致しない場合（Ｓ４３にてＮＯ）には、ＴＥＬ／ＦＡＸ判断部３４が、送信元端末１０から送信された信号がファクシミリ信号であるか否かを判断する（Ｓ４４）。ここでは、ＴＥＬ／ＦＡＸ判断部３４は、送信元端末１０から送信された信号がファクシミリ制御信号であるか否かにより、ファクシミリ信号であるか否かを判断する。
【０１４３】
送信元端末１０から送信された信号がファクシミリ信号（ファクシミリ制御信号）である（Ｓ４４にてＹＥＳ）場合、すなわち、送信元端末１０から、誤って通信装置１″の電話番号（「１１１１」）宛にファクシミリが送信されてきた場合、ＴＥＬ／ＦＡＸ切替部３５は、通信装置１″をＦＡＸ受信モードに切り替え、間違いファクシミリを受信する（Ｓ４５）。なお、ファクシミリが電話番号に誤って送信されてきた場合に、ＦＡＸ受信モードに切り替えず、上記間違いファクシミリを受信しない構成としてもよい。よって、Ｓ４５の処理を省略してもよい。
【０１４４】
一方、送信元端末１０から送信された信号がファクシミリ信号（ファクシミリ制御信号）でない（Ｓ４４にてＮＯ）場合、すなわち、送信元端末１０のユーザが通信装置１″のユーザ宛に電話を掛けてきた場合には、ＴＥＬ／ＦＡＸ切替部３５は通信装置１″を電話モードに切り替える（Ｓ４６）。そして、通信装置１″のユーザが受話器を取り上げることにより通話状態となる。
【０１４５】
次に、Ｓ４５にて間違いファクシミリを受信後、画像解析部４３は、送信元端末１０の送信元番号（ここでは、送信元端末１０の電話番号「００００」とする）を取得すべく、送信元端末１０から受信したファクシミリ画像を解析する（Ｓ４７）。次に、送信元番号判断部４２は、画像解析部４３の解析処理の結果に基づいて、ファクシミリ画像に送信元端末１０の電話番号（「００００」）が含まれているか否かを判断する（Ｓ４８）。そして、ファクシミリ画像に送信元端末１０の電話番号が含まれている場合（Ｓ４８にてＹＥＳ）には、送信元番号取得部３１が、送信元端末１０の電話番号（「００００」）を取得する（Ｓ４９）。なお、ファクシミリ画像に送信元端末１０の電話番号が含まれていない場合（Ｓ４８にてＮＯ）は、通常状態に戻る。
【０１４６】
次に、送信元情報取得部３６は、Ｓ４９にて送信元番号取得部３１が取得した送信元端末１０の電話番号（「００００」）に対応するメールアドレス（「ａｂｃ＠・・・」）を、送信元情報記憶部５１から取得する（Ｓ５０）。そして、送信元端末１０のメールアドレスを取得した場合（Ｓ５０にてＹＥＳ）、通知部３７は送信されたファクシミリの送信先番号が誤りである旨のメッセージを送信元端末１０のメールアドレスに送信する（Ｓ５１）。なお、上記メッセージを送信する際に、通信装置１″が受信したファクシミリ画像を添付ファイルとして送信してもよい。
【０１４７】
一方、送信元端末１０のメールアドレスを取得できなかった場合、すなわち送信元端末１０の電話番号が送信元情報記憶部５１に登録されていない場合（Ｓ５０にてＮＯ）には、通知部３７による送信元端末１０への通知動作は行われず、通常状態に戻る。なお、この場合には、Ｓ４９にて送信元番号取得部３１が取得した送信元番号が送信元情報記憶部５１に登録される構成としてもよい。
【０１４８】
これに対して、上記送信先番号がファクシミリ用番号（「２２２２」）である場合（Ｓ４３にてＹＥＳ）の以降のＳ５２〜Ｓ５４の処理は、上記実施の形態１の図３のフロー図におけるＳ１０〜Ｓ１２の処理と同一である。
【０１４９】
なお、上記実施の形態１で説明した、通知部３７が送信元端末１０からのファクシミリの送信先番号が誤りである旨を通知する他の構成、具体的には、図５、図７および図９のフロー図に示す構成は、送信元情報取得部３６が送信元端末１０のメールアドレスを取得した後に実行される構成であるため、本実施の形態３の通信装置１″においても適用可能である。
【０１５０】
最後に、上記実施の形態１〜３における通信装置１・１′・１″の各ブロック、特に、送信先番号取得部３２、送信先番号判断部３３、通知部３７は、ハードウェアロジックによって構成してもよいし、次のようにＣＰＵを用いてソフトウェアによって実現してもよい。
【０１５１】
すなわち、通信装置１・１′・１″は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである通信装置制御プログラムのプログラムコード（実行形式プログラム、中間コードプログラム、ソースプログラム）をコンピュータで読取り可能に記録した記録媒体を、上記通信装置１・１′・１″に供給し、そのコンピュータ（またはＣＰＵやＭＰＵ）が記録媒体に記録されているプログラムコードを読み出し実行することによっても、達成可能である。
【０１５２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５３】
また、通信装置１・１′・１″を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５５】
本発明の通信装置は、ネットワークを介してデータの通信が可能な構成であるため、ファクシミリ送受信機能、電話機能、メール機能、インターネット接続機能等を備えたファクシミリ装置、中継器、複合機、パーソナルコンピュータ（ＰＣ）等の通信端末装置全般に適用可能である。
【図面の簡単な説明】
【０１５６】
【図１】本発明の実施の形態１における通信装置の概略構成を示すブロック図である。
【図２】図１に示す通信装置における記憶部に格納される、送信元番号と送信元番号に対応する送信元端末のメールアドレスと送信元端末のユーザ名との関係を示すテーブルを説明するデータ構造である。
【図３】実施の形態１における、送信元端末からファクシミリ信号または電話信号を受信したときの通信装置の動作を示す処理フロー図である。
【図４】実施の形態１における、受信時刻判断部を備える通信装置の概略構成を示すブロック図である。
【図５】実施の形態１における、受信時刻判断部を備える通信装置の動作を示す処理フロー図である。
【図６】実施の形態１における、受信回数計測部と受信回数判断部とを備える通信装置の概略構成を示すブロック図である。
【図７】実施の形態１における、受信回数計測部と受信回数判断部とを備える通信装置の動作を示す処理フロー図である。
【図８】実施の形態１における、受信回数計測部と通知文書選択部とを備える通信装置の概略構成を示すブロック図である。
【図９】実施の形態１における、受信回数計測部と通知文書選択部とを備える通信装置の動作を示す処理フロー図である。
【図１０】実施の形態１における、通知文書記憶部に格納される、受信回数とそれに対応するメッセージの関係を示すテーブルを説明するデータ構造である。
【図１１】本発明の実施の形態２における通信装置の概略構成を示すブロック図である。
【図１２】実施の形態２における、送信元端末からファクシミリ信号または電話信号を受信したときの通信装置の動作を示す処理フロー図である。
【図１３】本発明の実施の形態３における通信装置の概略構成を示すブロック図である。
【図１４】実施の形態３における、送信元端末からファクシミリ信号または電話信号を受信したときの通信装置の動作を示す処理フロー図である。
【符号の説明】
【０１５７】
１、１′、１″  通信装置
２              通信部（通信手段）
１０              送信元端末
３１              送信元番号取得部（送信元識別情報取得手段）
３２              送信先番号取得部（送信先番号取得手段）
３３              送信先番号判断部（送信先番号判断手段）
３４              ＴＥＬ／ＦＡＸ判断部（データ判断手段）
３５              ＴＥＬ／ＦＡＸ切替部（モード切替手段）
３６              送信元情報取得部（送信元情報取得手段）
３７              通知部（通知手段）
３８              受信時刻判断部（受信時刻判断手段）
３９              受信回数計測部（受信回数計測手段）
４０              受信回数判断部（受信回数判断手段）
４１              通知文書選択部（通知文書選択手段）
４２              送信元番号判断部（送信元識別情報判断手段）
４３              画像解析部（画像解析手段）
５１              送信元情報記憶部
５２              通知文書記憶部
【図１】
2008141695.tif 000003
【図２】
2008141695.tif 000004
【図３】
2008141695.tif 000005
【図４】
2008141695.tif 000006
【図５】
2008141695.tif 000007
【図６】
2008141695.tif 000008
【図７】
2008141695.tif 000009
【図８】
2008141695.tif 000010
【図９】
2008141695.tif 000011
【図１０】
2008141695.tif 000012
【図１１】
2008141695.tif 000013
【図１２】
2008141695.tif 000014
【図１３】
2008141695.tif 000015
【図１４】
2008141695.tif 000016